(57)【要約】【課題】アンテナ部の通信可能領域に記録媒体を翳した状態で決済サービス情報の選択を許容することにより、利便性の向上を図ることができる決済処理装置を提供すること。【解決手段】適用対象となる決済サービス情報毎に設けられ、かつ決済サービス情報を選択するための電子決済選択ボタン３１と、所定のアクセス領域に翳された電子マネーカード４０との間で、電子決済選択ボタン３１を通じて選択された決済サービス情報に応じてデータの読み出し及び書き込みを行うアンテナ部３２とを備え、選択された決済サービス情報に基づいて決済処理を実施する決済処理装置３０において、電子決済選択ボタン３１は、電子マネーカード４０を保持する手で操作される場合に、電子マネーカード４０がアンテナ部３２のアクセス領域に翳されるような位置に配置してある。【選択図】        図４
2010152486.tif 000002
【特許請求の範囲】
【請求項１】
適用対象となる決済サービス情報毎に設けられ、かつ決済サービス情報を選択するための選択手段と、
所定の通信可能領域に翳された記録媒体との間で、前記選択手段を通じて選択された決済サービス情報に応じてデータの読み出し及び書き込みを行うアンテナ部と
を備え、
選択された決済サービス情報に基づいて決済処理を実施する決済処理装置において、
前記選択手段は、前記記録媒体を保持する手で操作される場合に、該記録媒体が前記アンテナ部の通信可能領域に翳されるような位置に配置してあることを特徴とする決済処理装置。
【請求項２】
前記選択手段は、前記アンテナ部に近接する上方域、あるいは前記アンテナ部に近接する奥方域に配置してあることを特徴とする請求項１に記載の決済処理装置。
【発明の詳細な説明】
【技術分野】
【０００１】
本発明は、決済処理装置に関し、より詳細には、例えばＩＣカード等の記録媒体との間で決済処理を実施する決済処理装置に関するものである。
【背景技術】
【０００２】
従来、いわゆる「電子マネーカード」と称されるＩＣカード等の記録媒体に有価価値情報を記録させ、この有価価値情報を用いて商品やサービスの代価を決済するようにした電子決済システムが種々提供されている。これらの電子決済システムは、決済に際して現金を持ち合わせる必要がないため、利用者側の利便性のみならず、店舗側においても決済処理を容易化することができる等の利点がある。しかも、セキュリティの面も考慮されており、電子決済端末機器に用意された電子決済モジュールとの間において相互認証処理を実施し、相互認証が成立した場合にのみ電子マネーカードに対して電子決済処理が実施されることになる。つまり、電子マネーカードにおいては、相互認証が成立した電子決済モジュールのみが読み書きを行うことのできるセキュアな記憶領域に有価価値情報を記録することによって所定のセキュリティが確保されている。 
【０００３】
ここで、上述の電子決済モジュールは、それぞれの電子決済システムで独自に開発されたものが殆どであり、電子決済システムが相違する電子マネーカードとの間において相互認証が成立することはなく、当然に有価価値情報の読み書きを行うことも不可能である。従って、例えば、利用者が一の電子決済事業者の電子決済システムに対応した電子マネーカードを所有しているとしても、店舗側の電子決済端末機器が他の電子決済事業者の電子決済システムに対応した電子決済モジュールを備えたものである場合には、利用者の提示した電子マネーカードを取り扱うことができず、電子決済を行うこともできない。 
【０００４】
近年、複数の決済サービス情報が記録された記録媒体（ＩＣカード、携帯電話等）が普及しており、かかる記録媒体に対応するために、適用対象となる決済サービス情報を択一的に選択させ、選択された決済サービス情報に応じて所定の通信可能領域に翳された記録媒体との間で決済処理を実施するような自動販売機（決済処理装置）が提案されている（例えば、特許文献１参照）。
【０００５】
【特許文献１】特開２００８−６５７９９号公報
【発明の開示】
【発明が解決しようとする課題】
【０００６】
ところが、上述したような自動販売機では、所定の通信可能領域に翳されたＩＣカードとの間で通信を行うアンテナ部（リーダライタ部）と、決済サービス情報の選択を行う電子決済ボタン（選択手段）とが離隔しているために、利用者は、一度電子決済選択ボタンを押下して決済サービス情報を選択した後に、アンテナ部の通信可能領域にＩＣカードを翳す必要がある。つまり、利用者が決済処理を行うためには、決済サービス情報の選択を行う動作と、その後にアンテナ部の通信可能領域にＩＣカードを翳す動作との２つの動作（以下、２アクションとも称する）が必要になる。そのため利用者にとってはこれらの動作が煩雑なものとなる虞れがあり、利便性の向上が求められている。
【０００７】
本発明は、上記実情に鑑みて、アンテナ部の通信可能領域に記録媒体を翳した状態で決済サービス情報の選択を許容することにより、利便性の向上を図ることができる決済処理装置を提供することを目的とする。
【課題を解決するための手段】
【０００８】
上記目的を達成するため、本発明の請求項１に係る決済処理装置は、適用対象となる決済サービス情報毎に設けられ、かつ決済サービス情報を選択するための選択手段と、所定の通信可能領域に翳された記録媒体との間で、前記選択手段を通じて選択された決済サービス情報に応じてデータの読み出し及び書き込みを行うアンテナ部とを備え、選択された決済サービス情報に基づいて決済処理を実施する決済処理装置において、前記選択手段は、前記記録媒体を保持する手で操作される場合に、該記録媒体が前記アンテナ部の通信可能領域に翳されるような位置に配置してあることを特徴とする。
【０００９】
また、本発明の請求項２に係る決済処理装置は、上述した請求項１において、前記選択手段は、前記アンテナ部に近接する上方域、あるいは前記アンテナ部に近接する奥方域に配置してあることを特徴とする。
【発明の効果】
【００１０】
本発明によれば、選択手段が、記録媒体を保持する手で操作される場合に、該記録媒体がアンテナ部の通信可能領域に翳されるような位置に配置してあるので、かかる手で保持される記録媒体がアンテナ部の通信可能領域に翳されることになる。これにより利用者は１アクションで決済サービス情報の選択及び決済処理を行うことが可能になり、煩雑なものとなる虞れがない。従って、アンテナ部の通信可能領域に記録媒体を翳した状態で決済サービス情報の選択を許容することにより、利便性の向上を図ることができるという効果を奏する。
【発明を実施するための最良の形態】
【００１１】
以下に添付図面を参照しながら、本発明に係る決済処理装置の好適な実施の形態について詳細に説明する。
【００１２】
図１及び図２は、それぞれ本発明の実施の形態である決済処理装置が適用された自動販売機を模式的に示したものであり、図１は斜視図であり、図２は内部構成を簡略的に示した説明図である。また、図３は本発明の実施の形態である決済処理装置が適用された自動販売機の制御系を示すブロック図である。ここに例示する自動販売機は、缶入り飲料やペットボトル入り飲料等の商品を販売するためのもので、本体キャビネット１を備えている。  本体キャビネット１は、前面が開口した直方状の断熱筐体として形成したものである。この本体キャビネット１の内部には、複数のコラム２が左右、前後に並設してある。各コラム２には、同一種類の商品が上下方向に沿って収納してある。コラム２の下方部には、商品搬出機３が設けてある。商品搬出機３は、指令が与えられた場合に、対応するコラム２に収納された商品群のうち最下段にあるものを１つずつ搬出するものである。搬出された商品は、商品シュータ（図示せず）等を転動した後に、後述する商品取出口１０に至る。
【００１３】
上記自動販売機には、本体キャビネット１の一側縁部に外扉４が設けてある。外扉４は、本体キャビネット１の前面開口を開閉するものであり、前面側にディスプレイウィンドウ５、硬貨投入口６、紙幣挿入口７、金額表示器８、硬貨返却口９、商品取出口１０、商品選択ボタン１１が設けてある一方、外扉４の後面側には、硬貨処理機１２（図３参照）、硬貨回収箱（図示せず）、紙幣処理機１３（図３参照）が設けてある。
【００１４】
ディスプレイウィンドウ５は、商品見本１４を利用者に視認させるための窓である。硬貨投入口６は、利用者が硬貨を投入するための開口である。この硬貨投入口６を通じて投入された硬貨は、硬貨処理機１２においてその金種が識別され、その後硬貨回収箱に収容される。紙幣挿入口７は、利用者が紙幣を挿入するための開口である。この紙幣挿入口７を通じて挿入された紙幣は、紙幣処理機１３においてその金種が識別される。また、上記紙幣挿入口７は、紙幣処理機１３において識別できなかった紙幣を返却するための機能を有している。金額表示器８は、貨幣の投入金額等を表示するためのものである。硬貨返却口９は、硬貨処理機１２において識別できなかった硬貨、あるいは釣銭となる硬貨を利用者に返却するための開口である。また、硬貨返却口９は、利用者が返却レバー１５を操作することにより、硬貨投入口６を通じて投入された硬貨を返却するための機能を有している。商品取出口１０は、商品搬出機３により搬出されたコラム２内の商品を利用者が取り出すための開口である。
【００１５】
商品選択ボタン１１は、利用者が購入商品を選択するための押ボタンスイッチであり、ディスプレイウィンドウ５を通じて視認される商品見本１４毎に用意してある。かかる商品選択ボタン１１は、押下された場合には、割り付けられた商品等に関する情報を商品信号として後述する基本動作制御部２０に出力するものである。
【００１６】
上記自動販売機は、上記構成要素の他に、基本動作制御部２０及び決済処理装置３０を有している。
【００１７】
基本動作制御部２０は、基本動作メモリ２１に予め格納されたプログラムやデータ等により自動販売機の基本動作、すなわち商品選択、金銭処理及び商品搬出等の各動作の統括的な制御を行うものである。特に基本動作制御部２０は、押下された商品選択ボタン１１から商品信号が出力された場合には、かかる商品信号に含まれる商品の決済金額を決済金額信号として決済処理装置３０の電子決済制御部３３に対して出力するものであり、また、決済処理装置３０の電子決済制御部３３からの決済処理終了信号が与えられることにより、商品搬出動作の制御を行うものである。
【００１８】
決済処理装置３０は、電子決済選択ボタン（選択手段）３１、アンテナ部３２及び電子決済制御部３３を備えて構成してある。電子決済選択ボタン３１は、図４に示すように、適用対象となる決済サービス情報毎に設けられ、決済サービス情報を選択するため押ボタンスイッチである。本実施の形態における自動販売機は、例えば決済サービス情報Ａ、Ｂ、Ｃ、Ｄの合計４つを適用対象としており、電子決済選択ボタン３１が４つ設けてある。電子決済選択ボタン３１は、押下されて決済サービス情報が選択されると、選択された決済サービス情報を電子決済選択信号として電子決済制御部３３に出力するものである。
【００１９】
アンテナ部３２は、略円形状の形態を成している。このアンテナ部３２は、所定のアクセス領域（通信可能領域）に電子マネーカード４０が配置された場合に、後述する電子マネーカード４０のＩＣメモリ４１に対して情報の読み書きが可能になるとともに、ＩＣ制御部４２に対して情報の送受信を行うことが可能になるものである。また、アンテナ部３２は、電子マネーカード４０が所定のアクセス領域に翳されると、電子マネーカード４０が保持された旨を保持信号として電子決済制御部３３に出力するものである。
【００２０】
ここで、上記電子決済選択ボタン３１と上記アンテナ部３２との配置関係について説明する。図４に示すように、電子決済選択ボタン３１は、それぞれアンテナ部３２の上方域に配置してある。より詳細に説明すると、アンテナ部３２の中心Ｏから上方に約１０ｃｍ離隔した点Ｏ′を中心にして、アンテナ部３２におけるアクセス領域の半径ｒに略等しい大きさの半径ｒ′内に入るよう、電子決済選択ボタン３１がそれぞれ配置してある。つまり、電子決済選択ボタン３１は、電子マネーカード４０を保持する手で操作される場合に、該電子マネーカード４０がアンテナ部３２のアクセス領域に翳されるような位置にそれぞれ配置してある。尚、ここでいう「手」とは、一般成人の手をいうものとし、約１０ｃｍは、一般成人の人差し指の指先から手のひら中央までの長さの一例として示しただけである。
【００２１】
上記電子マネーカード４０は、ＩＣチップを備えた非接触式のＩＣカードであり、図５に示すように、ＩＣメモリ４１及びＩＣ制御部４２を備えている。ＩＣメモリ４１は、決済処理を実施する場合に必要となる決済サービス情報４３を記録したものである。本実施の形態では、事業者識別情報４３ａと有価価値情報４３ｂとによって決済サービス情報４３が構成してあり、事業者の異なる複数の決済サービス情報４３が電子マネーカード４０のＩＣメモリ４１に各別に記録してある。事業者識別情報４３ａは、電子決済事業者を識別するためのものであり、ＩＣメモリ４１の共有領域に平文の状態で記録されている。有価価値情報４３ｂは、決済処理を実施する場合に代金として用いられる電子的有価価値であり、事業者毎に個別の認証が必要となるＩＣメモリ４１のセキュアなメモリ領域にそれぞれ事業者毎に異なる暗号化処理が施された状態で記録してある。ＩＣ制御部４２は、ＩＣメモリ４１に記録された決済サービス情報４３の管理を主機能とするものである。本実施の形態における電子マネーカード４０は、複数（例えば３つ）の決済サービス情報４３が記録された記録媒体である。具体的には、Ａ、Ｂ、Ｃの合計３つの決済サービス情報４３が記録されている。これにより本実施の形態においては、電子マネーカード４０のＩＣメモリ４１に対して非接触の状態で情報の読み書きを行うことができるアンテナ部３２を適用している。
【００２２】
電子決済制御部３３は、予め電子決済メモリ３４に記録されたプログラムやデータ、並びに基本動作制御部２０を通じて与えられた指令や情報にしたがって、電子決済処理の統括的な制御を行うものであり、決済処理部３３１、表示処理部３３２及びタイマー部３３３を備えて構成してある。
【００２３】
決済処理部３３１は、アンテナ部３２を通じて電子マネーカード４０の決済サービス情報４３が与えられた場合、この決済サービス情報４３が対応するものであることを条件に、決済処理の実施が可能になるものである。決済処理部３３１の実施する決済処理とは、決済金額が与えられた場合に決済サービス情報４３に含まれた事業者識別情報４３ａに基づいて対応する有価価値情報４３ｂの減算処理を実施し、その後、決済処理が終了した旨を決済処理終了信号として上述した基本動作制御部２０に出力するものである。尚、ＩＣメモリ４１に記録された有価価値情報４３ｂに対して減算処理を行う場合に必要となる事業者毎の認証鍵、暗号鍵及び復号鍵は、予め決済処理部３３１に用意されているものとする。また本実施の形態では、決済処理部３３１がＡ、Ｂ、Ｃ、Ｄの合計４つの決済サービス情報４３に対応しているものとする。
【００２４】
表示処理部３３２は、決済処理部３３１を通じての電子決済処理が可能である場合には、アンテナ部３２に内蔵されるＬＥＤ（図示せず）を点灯させ、電子決済処理が可能である旨を表示させる一方、決済処理部３３１を通じての電子決済処理が不可能な場合には、ＬＥＤを消灯させたままにして電子決済処理が不可能である旨を表示させるものである。ここに、決済処理部３３１を通じての電子決済処理が可能であるか否かの判断は、電子決済メモリ３４に格納してあるデータやプログラム等に基づいて行われる。タイマー部３３３は、時間を計測するものである。
【００２５】
図６は、上述した電子決済制御部３３が実施する電子決済処理の内容を示すフローチャートである。以下、この図６を参照しながら、本実施の形態である決済処理装置３０（が適用された自動販売機）において商品の代金を電子マネー決済処理する場合について説明する。尚、以下においては、説明の便宜上、決済サービス情報Ｃ（４３）が選択されたものとして説明する。
【００２６】
この自動販売機では、商品選択待機状態となっており、利用者により商品選択ボタン１１が押下されると商品信号が出力され、これにより基本動作制御部２０は、商品信号を入力すると、該商品信号に含まれる商品の決済金額を決済金額信号として電子決済制御部３３に対して出力する。このようにして決済金額信号が電子決済制御部３３に与えられると（ステップＳ１０１：Ｙｅｓ）、電子決済制御部３３によって電子決済選択ボタン３１が押下待機状態となる（ステップＳ１０２、ステップＳ１０３）。電子決済制御部３３は、タイマー部３３３を通じて予め設定した時間が経過すると（ステップＳ１０３：Ｙｅｓ）、後述の処理を実施することなく手順をリターンさせて今回の処理を終了する。
【００２７】
これに対し電子決済選択ボタン３１の押下待機状態において決済サービス情報Ｃ（４３）に対応する電子決済選択ボタン３１が押下されると、すなわち決済サービス情報Ｃ（４３）が選択されると（ステップＳ１０２：Ｙｅｓ）、電子決済制御部３３は、表示処理部３３２を通じて電子決済処理が可能であるか否かを判断する（ステップＳ１０４）。そして、電子決済処理が不可能であると判断した場合には（ステップＳ１０４：Ｎｏ）、アンテナ部３２のＬＥＤを消灯させたままにして電子決済処理が不可能である旨を表示させる（ステップＳ１０５）。これにより利用者は選択した決済サービス情報Ｃ（４３）での電子決済処理ができない旨を認識することができる。上記ステップＳ１０５で電子決済処理が不可能である旨を表示した後、後述の処理を実施することなく手順をリターンさせて今回の処理を終了する。
【００２８】
一方、上記ステップＳ１０４において電子決済処理が可能であると判断した場合には（ステップＳ１０４：Ｙｅｓ）、電子決済制御部３３は、表示処理部３３２を通じてアンテナ部３２のＬＥＤを点灯させて電子決済処理が可能である旨を表示させる（ステップＳ１０６）。これにより利用者は選択した決済サービス情報Ｃ（４３）での電子決済処理が可能であることを認識することができる。
【００２９】
電子決済処理が可能である旨を表示させると、電子決済制御部３３によってアンテナ部３２が電子マネーカード４０の読取待機状態となる（ステップＳ１０７、ステップＳ１０８）。電子決済制御部３３は、タイマー部３３３を通じて予め設定した時間が経過すると（ステップＳ１０８：Ｙｅｓ）、後述の処理を実施することなく手順をリターンさせて今回の処理を終了する。
【００３０】
これに対し読取待機状態においてアンテナ部３２のアクセス領域に電子マネーカード４０が翳され、ＩＣ制御部４２からのカードセンス応答によりこれを確認すると（ステップＳ１０７：Ｙｅｓ）、上記ステップＳ１０２で選択された決済サービス情報Ｃ（４３）に基づき、決済処理部３３１を通じて決済処理を実施する（ステップＳ１０９）。この決済処理の実施により、電子マネーカード４０に記録された決済サービス情報Ｃ（４３）の有価価値情報４３ｂが減算処理される。このような決済処理が行われると、手順をリターンさせて今回の処理を終了する。
【００３１】
このようにして決済処理が行われると、決済処理装置３０の電子決済制御部３３から基本動作制御部２０に決済処理終了信号が出力される。その結果、決済処理信号が与えられた基本動作制御部２０は、商品搬出機３を通じて選択された商品を搬出させる。これにより搬出された商品は商品取出口１０に導かれ、利用者が商品取出口１０より商品を受け取ることができる。
【００３２】
ところで、上述したように電子決済選択ボタン３１が、電子マネーカード４０を保持する手で操作される場合に、該電子マネーカード４０がアンテナ部３２のアクセス領域に翳されるような位置にそれぞれ配置してあるので、図７に示すように利用者が例えば右手人差し指で決済サービス情報Ｃ（４３）に対応する電子決済選択ボタン３１が押下される場合に、この右手で保持される電子マネーカード４０がアンテナ部３２のアクセス領域に翳されることになる。これにより上述したステップＳ１０２〜ステップＳ１０９の処理の際に、利用者は右手を動かす必要がなく、１つの動作、すなわち１アクションで済むことになる。
【００３３】
以上説明したように、本発明の実施の形態である決済処理装置３０によれば、電子決済選択ボタン３１が電子マネーカード４０を保持する手で操作される場合に、該電子マネーカード４０がアンテナ部３２のアクセス領域に翳されるような位置にそれぞれ配置してあるので、利用者は１アクションで決済サービス情報４３の選択及び決済処理を行うことが可能になり、煩雑なものとなる虞れがない。従って、アンテナ部３２のアクセス領域に電子マネーカード４０を翳した状態で決済サービス情報４３の選択を許容することにより、利便性の向上を図ることができる。
【００３４】
以上、本発明の好適な実施の形態について説明したが、本発明はこれに限定されるものではなく、種々の変更を行うことができる。
【００３５】
例えば、上述した実施の形態の決済処理装置３０は、自動販売機に適用されるものであったが、本発明は自動販売機以外の機器に適用されるものであっても構わないし、決済処理装置単体のものであっても構わない。
【００３６】
また、上述した実施の形態では、自動販売機の外扉４の前面に設けられたアンテナ部３２と電子決済選択ボタン３１とを備えた決済処理装置３０であったが、本発明の決済処理装置は、アンテナ部と選択手段（電子決済選択ボタン３１）が水平面に設けられて成るものであってもよい。この場合、選択手段は、アンテナ部に近接する奥方域に設けられるもので、より詳細には、選択手段が記録媒体（電子マネーカード４０）を保持する手で操作される場合に、該記録媒体がアンテナ部の通信可能領域に翳されるような位置に配置してある。このような構成によっても、利用者は１アクションで決済サービス情報の選択及び決済処理を行うことが可能になり、煩雑なものとなる虞れがない。従って、アンテナ部の通信可能領域に記録媒体を翳した状態で決済サービス情報の選択を許容することにより、利便性の向上を図ることができる。
【産業上の利用可能性】
【００３７】
以上のように、本発明に係る決済処理装置は、例えばＩＣカード等の電子マネーカードとの間で決済処理を実施するのに有用である。
【図面の簡単な説明】
【００３８】
【図１】本発明の実施の形態である決済処理装置が適用された自動販売機を模式的に示した斜視図である。
【図２】本発明の実施の形態である決済処理装置が適用された自動販売機の内部構成を簡略的に示した説明図である。
【図３】本発明の実施の形態である決済処理装置が適用された自動販売機の制御系を示すブロック図である。
【図４】図１に示した外扉に配設された電子決済選択ボタン及びアンテナ部を拡大して示す説明図である。
【図５】図１に示した電子マネーカードの構成を模式的に示すブロック図である。
【図６】本発明の実施の形態である決済処理装置の電子決済制御部が実施する電子決済処理の内容を示すフローチャートである。
【図７】本実施の形態である決済処理装置を構成する電子決済選択ボタン及びアンテナ部に対する利用者の操作の一例を示す説明図である。
【符号の説明】
【００３９】
１    本体キャビネット
４    外扉
３０    決済処理装置
３１    電子決済選択ボタン
３２    アンテナ部
３３    電子決済処理部
３３１    決済処理部
３３２    表示処理部
３３３    タイマー部
３４    電子決済メモリ
【図１】
2010152486.tif 000003
【図２】
2010152486.tif 000004
【図３】
2010152486.tif 000005
【図４】
2010152486.tif 000006
【図５】
2010152486.tif 000007
【図６】
2010152486.tif 000008
【図７】
2010152486.tif 000009